(57)【要約】【課題】コンパクトかつ省スペースにて設置可能な、記録媒体装置一体型表示装置を提供する。【解決手段】それぞれ個別の筐体にて構成された光ディスク装置１と薄型表示装置２とが、複数の連結部材２０ａおよび２０ｂを備えており、これらの連結部材２０ａおよび２０ｂを連結させることにより光ディスク装置１と薄型表示装置２とを一体化させる。さらに、薄型表示装置２の表示パネル１２の表示面と、光ディスク保持部３に挿入された光ディスク１１のラベル印字面若しくはピット情報信号記録面とが同じ側に配されるようにすることにより、光ディスク装置１の奥行き寸法を薄型表示装置２の奥行き寸法と比較して同一寸法かそれ以下とする。【選択図】　図１
2004071125.tif 000002
【特許請求の範囲】
【請求項１】
それぞれ個別の筐体で構成されている、少なくとも一つの記録媒体装置、及び表示装置と、
上記記録媒体装置と上記表示装置とを連結して一体化する複数の連結部材とを備えた記録媒体装置一体型表示装置。
【請求項２】
それぞれ個別の筐体で構成されている、少なくとも一つの記録媒体装置、及び表示装置と、
上記記録媒体装置及び上記表示装置の各底面において連結して一体化する連結部材とを備えた記録媒体装置一体型表示装置。
【請求項３】
上記連結部材は、連結後の奥行きが上記表示装置の奥行き以下となるように、上記記録媒体装置と上記表示装置とを連結して一体化することを特徴とする請求項１又は２に記載の記録媒体装置一体型表示装置。
【請求項４】
上記連結部材は、放熱部材からなることを特徴とする請求項２に記載の記録媒体装置一体型表示装置。
【請求項５】
上記連結部材は、連結装置間で情報信号伝送を行うコネクタ部を有することを特徴とする請求項１、２、３、又は４に記載の記録媒体装置一体型表示装置。
【請求項６】
上記連結部材は、少なくとも上記記録媒体装置と上記表示装置とが回転軸の周りに互いに逆向きに所定角度だけ回転可能であるように、上記記録媒体装置と上記表示装置とを連結することを特徴とする請求項１に記載の記録媒体装置一体型表示装置。
【発明の詳細な説明】
【０００１】
【発明の属する技術分野】
本発明は、記録媒体装置と表示装置とが一体化した記録媒体装置一体型表示装置に関し、より詳しくは、光ディスクの再生および記録を行う光ディスク装置等の記録媒体装置と、この記録媒体装置と一体化する機構を備え、該記録媒体装置の再生信号またはテレビジョン信号等の情報信号を出力する表示装置とを一体化させた記録媒体装置一体型表示装置に関するものである。
【０００２】
【従来の技術】
近年、液晶、有機／無機エレクトロルミネッセンス（Ｅｌｅｃｔｒｏ−Ｌｕｍｉｎｅｓｃｅｎｃｅ、以下「ＥＬ」という。）、プラズマ等の方式を採用した表示パネル等の薄型表示装置の開発が盛んになっている。これらの表示装置は、いずれもブラウン管を使用した表示装置と比べて、奥行き寸法を大幅に短くできるとともに消費電力を低くすることができるという利点がある。また、これらの表示装置は、ビデオテープ等の磁気記録媒体またはＤＶＤ（Ｄｉｇｉｔａｌ　Ｖｅｒｓａｔｉｌｅ　Ｄｉｓｋ）等の光記録媒体（情報記録媒体）に記録されている映像信号並びにテレビジョン放送信号を映像として表示するのみならず、パーソナルコンピュータ、携帯移動端末、カーナビゲーション、デジタルビデオ／ディスクカメラまたは携帯電話等の多岐にわたって使用されることにより、情報表示機器として普及してきている。
【０００３】
また、光ディスク装置の開発も盛んになっており、再生専用のＣＤ−ＲＯＭ（Ｃｏｍｐａｃｔ　Ｄｉｓｋ　Ｒｅａｄ　Ｏｎｌｙ　Ｍｅｍｏｒｙ）およびＤＶＤ−ＲＯＭ（Ｄｉｇｉｔａｌ　Ｖｅｒｓａｔｉｌｅ　Ｄｉｓｋ　Ｒｅａｄ　Ｏｎｌｙ　Ｍｅｍｏｒｙ）、記録も可能なＣＤ−Ｒ／ＲＷ（Ｃｏｍｐａｃｔ　Ｄｉｓｋ　Ｒｅｃｏｒｄａｂｌｅ／Ｒｅｗｒｉｔａｂｌｅ）、ＤＶＤ−Ｒ／−ＲＷ／＋ＲＷ／−ＲＡＭ（Ｄｉｇｉｔａｌ　Ｖｅｒｓａｔｉｌｅ　Ｄｉｓｋ　Ｒｅｃｏｒｄａｂｌｅ／−Ｒｅｗｒｉｔａｂｌｅ／＋Ｒｅｗｒｉｔａｂｌｅ／−Ｒａｎｄｏｍ　Ａｃｃｅｓｓ　Ｍｅｍｏｒｙ）等も開発されている。近年、さらに大容量となる青色半導体レーザを使用した光ディスク装置の開発も盛んになってなっている。また、ビデオテープや磁気ディスクとなるハードディスクに対応できるような、磁気媒体対応の装置を内蔵した光ディスク装置も開発されている。
【０００４】
従来の光ディスク装置は、光ディスクのラベル印字面を水平にして搭載するようになっているものが多く、例えばテレビジョン放送信号を受信する大型液晶テレビを表示手段として使用する場合、光ディスク装置の奥行き寸法が液晶テレビの奥行き寸法と比べて十分大きいために、光ディスク装置は液晶テレビと比べて奥行き方向にはみ出して設置されていた。
【０００５】
上記薄型表示装置と上記光ディスク装置とを組み合わせることによって映像信号の再生や記録を行うことができるが、この場合、互いの位置を情報信号の入出力が行うことができる範囲に限定する必要がある。
【０００６】
このように、薄型表示装置と光ディスク装置とが一体化された一体型表示装置の例については、以下に簡単に説明する。
【０００７】
実開平５−３６５４０号公報には、パーソナルコンピュータ用のディスプレイ装置として、薄型表示装置とハードディスク等の磁気記録媒体装置とを一つの筐体に備えることによって一体化された例が開示されている。
【０００８】
特開平７−２３３１１号公報には、薄型表示装置と光ディスク等を搭載することができるディスク装置とが一体化されたディスク装置一体型表示装置が開示されている。このディスク装置一体型表示装置は、薄型表示装置の筐体の表示部に対して反対側である裏面に、光ディスクを鉛直方向に搭載するようになっている光ディスク装置の筐体を取り付けることによって一体化し、ディスク装置が薄型表示装置の表示部に対して平行移動することができるように設けられている。
【０００９】
【発明が解決しようとする課題】
しかしながら、上記実開平５−３６５４０号公報のように、薄型表示装置と磁気記録媒体装置とを奥行き方向に一体化した場合、一体化表示装置の奥行き寸法は、薄型表示装置の奥行き寸法に光ディスク装置の奥行き寸法を加算した寸法となる。このため、一体化表示装置の設置床面積は、薄型表示装置の設置床面積に比べて奥行き方向に大きくなってしまい、薄型表示装置を使用する利点がなくなるという課題が生じる。さらに、薄型表示装置と磁気記録媒体装置とを一つの筐体で構成した場合、双方の装置から発生する熱による筐体内部の上昇温度が、各々の装置単独での発熱による上昇温度と比べて高くなってしまい、双方の装置ともに正常に動作しなくなるという課題が生じる。
【００１０】
上記特開平７−２３３１１号公報のように、薄型表示装置と光ディスク装置とを個別の筐体として構成し、薄型表示装置の表示部の裏面側に光ディスク装置を設置することにより一体化した一体化表示装置の場合、上記の発熱による課題は解決することができるものの、薄型表示装置の表示部の裏面側に光ディスク装置を設置する構成であるため、上記の薄型表示装置を使用する利点がなくなるという課題は残ることとなる。
【００１１】
本発明は、上記課題を解決するために提案されたものであり、コンパクトかつ省スペースにて設置することができる記録媒体装置一体型表示装置を提供することを目的とする。
【００１２】
【課題を解決するための手段】
本発明の記録媒体装置一体型表示装置は、上記課題を解決するために、それぞれ個別の筐体で構成されている、少なくとも一つの記録媒体装置、及び表示装置と、上記記録媒体装置と上記表示装置とを連結して一体化する複数の連結部材とを備えたことを特徴としている。
【００１３】
上記の発明によれば、少なくとも一つの記録媒体装置と、表示装置とが、複数の連結部材によって互いに連結され一体化される。
【００１４】
この場合、少なくとも一つの記録媒体装置と、表示装置とは、それぞれ別個の筐体で構成されているので、各装置で発生した熱が他の装置に対して影響を及ぼすことを回避できる。
【００１５】
上記連結部材が複数個設けられていることにより、複数のレイアウトの中から所望のレイアウトを適宜選択することができるので、各装置のレイアウトの自由度が著しく大きくなる。記録媒体装置と表示装置とを一体化する場合、両者のレイアウトは各個人によって異なるが、上記の発明によれば、複数の連結部材によって、多様な各個人の好みに合ったレイアウトを実現することが可能となる。これにより、記録媒体装置一体型表示装置の付加価値を著しく高めることが可能となる。例えば、記録媒体装置と表示装置とのレイアウトを適切に選択すれば、記録媒体装置一体型装置の奥行きを小さくすることができる。これにより、省スペースに記録媒体装置一体型表示装置を設置することが可能となる。
【００１６】
本発明の他の記録媒体装置一体型表示装置は、上記課題を解決するために、それぞれ個別の筐体で構成されている、少なくとも一つの記録媒体装置、及び表示装置と、上記記録媒体装置及び上記表示装置の各底面において連結して一体化する連結部材とを備えたことを特徴としている。
【００１７】
上記の発明によれば、少なくとも一つの記録媒体装置と、表示装置とが、連結部材によって各装置の底面において互いに連結され一体化される。
【００１８】
これにより、装置間の連結の確実性、及び連結の耐久性を確保するために、連結部材の連結機構の重量が増大した場合や、上記連結機構の構造が複雑化した場合でも、重量の増加や連結機構の複雑化の要因となるものを連結部材側に形成することが可能となる。この場合、上記記録媒体装置及び上記表示装置に負担がかかることを確実に回避できる。
【００１９】
しかも、上記記録媒体装置及び上記表示装置における上記連結部材との連結機構が各底面において設けられるので、各装置の美観を損なうことを未然に回避できる。更に、上記連結部材は、それ自体、設置台としての機能も果たすことができる。加えて、上記連結部材上に上記記録媒体装置及び上記表示装置を設置するので、連結操作が容易に行える。
【００２０】
上記連結部材は、連結後の奥行きが上記表示装置の奥行き以下となるように、上記記録媒体表示装置と上記表示装置とを連結して一体化することが好ましい。
【００２１】
この場合、記録媒体装置一体型表示装置の設置面積は、表示装置の単独設置の場合より大きくなることはない。それゆえ、よりコンパクトに省スペースに記録媒体装置一体型表示装置を設置することが可能となる。
【００２２】
上記連結部材は、放熱部材からなることが好ましい。この場合、上記記録媒体装置及び上記表示装置で発生したそれぞれの熱が上記連結部材を介して放熱されるので、上記記録媒体装置及び上記表示装置がそれぞれ個別の筐体で構成されただけの場合よりも放熱効果が向上する。
【００２３】
上記連結部材は、連結装置間で情報信号の伝送を行うコネクタ部を有することが好ましい。この場合、上記連結部材は、装置間の連結機能に加えて、連結装置間での情報信号の伝送を行う機能を備えることになるので、従来必要であった装置間の配線を大幅に削減することが可能となる。
【００２４】
上記連結部材は、少なくとも上記記録媒体装置と上記表示装置とが回転軸の周りに互いに逆向きに所定角度だけ回転可能であるように、上記記録媒体装置と上記表示装置とを連結することが好ましい。
【００２５】
この場合、上記記録媒体装置及び上記表示装置の回転角度をそれぞれ所望の角度に設定することによって、さまざまな設置環境に対応できる。このように上記記録媒体装置と上記表示装置とを設置環境に合わせて所定の角度で設置することによって、固定の場合には設置できないスペースにも設置可能となり、より省スペース化を図ることが可能となる。加えて、たとえば、上記記録媒体装置と上記表示装置とが折り重なるように角度を回転させると、固定の場合と比べてコンパクトになり、収納しやすくなると共に移動させやすくなる。
【００２６】
【発明の実施の形態】
〔実施の形態１〕
本発明の第一の実施の形態について図１ないし図３に基づいて説明すれば、以下のとおりである。
【００２７】
図１は、本発明にかかる記録媒体装置一体型表示装置を示す斜視図である。図１に示すように、本発明にかかる記録媒体装置一体型表示装置は、それぞれ個別の筐体で構成された光ディスク装置（記録媒体装置）１および薄型表示装置（表示装置）２から構成されている。
【００２８】
光ディスク装置１は、連結部材２０ａ、光ディスク保持部３、図示しないドライブ装置４、光ピックアップ装置５、テレビジョン信号入出力端子６、テレビジョン信号入出力回路７、外部装置信号入出力端子８、外部装置信号入出力回路９および信号処理部１０を備えている。
【００２９】
光ディスク保持部３は、記録再生する光ディスク１１を載置するものである。図２は、本発明の記録媒体装置一体型表示装置における光ディスク装置１の光ディスク保持部３の開閉機構の例を示す側面図である。図２に示すように、光ディスク装置１のカバーと一体になった光ディスク保持部３は、正面側手前に引くことによって傾斜し、開状態となる。光ディスク保持部３を開状態にし、該光ディスク保持部３の傾斜方向に沿って光ディスク１１を挿入した後、光ディスク保持部３を閉じる。このとき、光ディスク１１のラベル印字面またはピット情報信号記録面がユーザと対向するように光ディスク１１を挿入する。また、光ディスク装置１の奥行き方向の厚さは、薄型表示装置２の奥行き方向の厚さと比較して同等かそれ以下となっている。
【００３０】
ドライブ装置４は、適宜光ピックアップ装置５を駆動させるものである。光ピックアップ装置５は、光ディスク１１の再生、追記または書換えを行うものである。光ピックアップ装置５は、ＣＤ−ＲＯＭやＤＶＤ−ＲＯＭ等の再生型光ディスク１１やＣＤ−Ｒ／ＲＷ、ＤＶＤ−Ｒ／＋ＲＷ／−ＲＷ／ＲＡＭ、青色半導体レーザにより記録再生する大容量の光ディスク等の書込み型光ディスク１１のうち何れか一つの規格の光ディスク１１若しくは複数の規格の光ディスク１１の記録再生を行うことができるようになっている。
【００３１】
テレビジョン信号入出力端子６は、受信アンテナ（図示しない）を介してテレビジョン信号を受信し、テレビジョン信号入出力回路７を介して信号処理部１０へ出力するようになっている。また、テレビジョン信号入出力端子６は、テレビジョン信号を薄型表示装置２のテレビジョン信号入力端子１５に出力するようにもなっている。
【００３２】
外部装置信号入出力端子８は、外部装置からの情報信号を受信し、外部装置信号入出力回路９を介して信号処理部１０へ出力するようになっている。また、外部装置信号入出力端子８は、外部装置から受信した情報信号を薄型表示装置２の外部装置信号入出力端子１７に出力するようにもなっている。なお、外部装置とは、例えばビデオデッキやハードディスク装置等のことである。
【００３３】
信号処理部１０は、テレビジョン信号入出力回路７および外部装置信号入出力回路９より入力された情報信号に対して所定の信号処理を行い、ドライブ装置４に出力するようになっている。また、信号処理部１０は、光ピックアップ装置５により読取られた光ディスク情報信号に対して所定の信号処理を行い、外部装置信号入出力回路９へ出力するようになっている。
【００３４】
薄型表示装置２は、図１に示すように、連結部材２０ｂ、表示パネル１２、スピーカー１３、図示しないドライブ装置１４、テレビジョン信号入力端子１５、テレビジョン信号入力回路１６、外部装置信号入出力端子１７、外部装置信号入出力回路１８および信号処理部１９を備えている。
【００３５】
テレビジョン信号入力端子１５は、光ディスク装置１のテレビジョン信号入出力端子６から出力されたテレジョン信号を受信し、テレビジョン信号入力回路１６を介して信号処理部１９へ出力するようになっている。
【００３６】
外部装置信号入出力端子１７は、光ディスク装置１の外部装置信号入出力端子８から出力された外部装置信号を受信し、外部装置信号入出力回路１８を介して信号処理部１９へ出力するようになっている。
【００３７】
信号処理部１９は、テレビジョン信号入力回路１６および外部装置信号入出力回路１８より入力された情報信号に対して所定の信号処理を行い、ドライブ装置１４へ出力するようになっている。
【００３８】
ドライブ装置１４は、薄型表示装置２内部に配置されており、信号処理部１９より伝送された所定の信号に基づいて表示パネル１２およびスピーカー１３をそれぞれ駆動させるようになっている。
【００３９】
表示パネル１２は、ドライブ装置１４の駆動により上記受信映像信号等を表示するようになっており、例えば、液晶、ＥＬまたはプラズマ等から構成されている。
【００４０】
スピーカー１３は、ドライブ装置１４の駆動により受信した音声信号を出力するようになっている。
【００４１】
連結部材２０ａ、２０ｂは、互いに嵌合することにより光ディスク装置１と薄型表示装置とを連結させるものである。連結部材２０ａは、光ディスク装置１側に形成された凸部材で構成されており、連結部材２０ｂは、薄型表示装置２側に形成された凹部材で構成されている。そして、この凸部材と凹部材とが嵌合することにより、連結部材２０ａと連結部材２０ｂとが連結するようになっている。このように、連結部材２０ａおよび２０ｂを連結することにより光ディスク装置１および薄型表示装置２を一体化することができる。なお、連結部材２０ａを凹部材で構成し、連結部材２０ｂを凸部材で構成してもよい。
【００４２】
図１は、薄型表示装置２の表示パネル１２の表示面と、光ディスク保持部３に挿入された光ディスク１１のラベル印字面若しくはピット情報信号記録面とが同じ側に配されるように光ディスク装置１と薄型表示装置２とを連結し、光ディスク装置１が、薄型表示装置２の表示パネル１２に対して左側に並べて連結された状態の記録媒体装置一体型表示装置のレイアウト例を示す。
【００４３】
また、連結部材２０ａおよび２０ｂは、光ディスク装置１および薄型表示装置２の横側面に形成されている場合に限定されず、他の面に形成されていてもよく、この場合、各装置のレイアウトを自由に行うことが可能となる。
【００４４】
また、光ディスク装置１と薄型表示装置とを連結させる手段は、上記凹凸部材に限らず、光ディスク装置１と薄型表示装置２とがそれぞれスライド部材を有する構成であってもよく、この場合連結面に沿ってスライド部材を移動させることによって各装置を連結することができる。
【００４５】
また、光ディスク装置１にて再生された光ディスク１１の再生信号並びに光ディスク装置１に入力されたテレビジョン信号および外部装置信号を薄型表示装置２に出力するために、光ディスク装置１と薄型表示装置２とを電気的に接続する必要がある。このため、光ディスク装置１および薄型表示装置２は、例えば金属線等の接続線により接続されている。
【００４６】
次に、光ディスク装置１が所定の情報を記録再生する機構および薄型表示装置２が所定の情報を表示する機構を説明する。
【００４７】
図３は、本発明にかかる記録媒体装置一体型表示装置と外部装置との間での情報信号の入出力を示すブロック図である。
【００４８】
まず、光ディスク１１の再生信号を薄型表示装置２にて表示する機構を説明する。
【００４９】
図３に示すように、光ディスク装置１に備えられたドライブ装置４が光ピックアップ装置５を駆動させることにより、光ディスク１１に記録されている情報を電気信号として再生する。再生された電気信号は、ドライブ装置４を通じて信号処理部１０に入力され、信号処理部１０にて所定の信号処理が行われた後、外部装置信号入出力回路９および外部装置信号入出力端子８を介して薄型表示装置２の外部装置信号入出力端子１７に入力される。外部装置信号入出力端子１７へ伝送された信号は、外部装置信号入出力回路１８を介して信号処理部１９に入力される。信号処理部１９は、入力信号に対して所定の信号処理を行った後、ドライブ装置１４へ出力する。ドライブ装置１４は、入力信号に基づいて映像信号を表示パネル１２に表示させるとともに音声信号をスピーカー１３より出力させる。
【００５０】
次に、光ディスク装置１に入力されたテレビジョン信号を光ディスク１１に記録する機構および薄型表示装置２にて表示する機構を説明する。
【００５１】
光ディスク装置１のテレビジョン信号入出力端子６が受信したテレビジョン信号は、テレビジョン信号入出力回路７を介して信号処理部１０に入力される。信号処理部１０は、入力されたテレビジョン信号に対して所定の信号処理を行った後、ドライブ装置４へ出力する。ドライブ装置４は、入力信号に基づいて光ピックアップ装置５を駆動させることにより光ディスク１１に所定の情報を記録する。
【００５２】
また、テレビジョン信号を薄型表示装置２にて表示する機構は次のとおりである。まず、光ディスク装置１のテレビジョン信号入出力端子６を介して受信したテレビジョン信号は、薄型表示装置２のテレビジョン信号入力端子１５に入力される。入力されたテレビジョン信号は、テレビジョン信号入力回路１６を介して信号処理部１９に入力される。信号処理部１９は、テレビジョン信号に対して所定の信号処理を行った後、ドライブ装置１４へ出力する。ドライブ装置１４は、入力信号に基づいて映像信号を表示パネル１２に表示させるとともに音声信号をスピーカー１３より出力させる。
【００５３】
次に、光ディスク装置１に入力された外部装置信号を光ディスク１１に記録する機構および薄型表示装置にて表示する機構を説明する。
【００５４】
光ディスク装置１の外部装置信号入出力端子８に入力された外部装置信号は、外部装置信号入出力回路９を介して信号処理部１０に入力される。信号処理部１０は、入力された外部装置信号に対して所定の信号処理を行った後、ドライブ装置４へ出力する。ドライブ装置４は、入力電気信号に基づいて光ピックアップ装置５を駆動させることにより光ディスク１１に所定の情報を記録する。
【００５５】
また、外部装置信号を薄型表示装置２にて表示する機構は次のとおりである。まず、光ディスク装置１の外部装置信号入出力端子８に入力された外部装置信号を薄型表示装置２の外部装置信号入出力端子１７へ出力する。外部装置信号入出力端子１７に入力された外部装置信号は、外部装置信号入出力回路１８を介して信号処理部１９に入力される。信号処理部１９は、外部装置信号に対して所定の信号処理を行った後、ドライブ装置１４へ出力する。ドライブ装置１４は、入力信号に基づいて映像信号を表示パネル１２に表示させるとともに音声信号をスピーカー１３より出力させる。
【００５６】
以上のように、複数の連結部材２０ａ、２０ｂを用いて光ディスク装置１と薄型表示装置２とを連結することにより、光ディスク装置１および薄型表示装置２を一体化させることが可能となる。さらに、薄型表示装置２の表示パネル１２の表示面と、光ディスク保持部３に挿入された光ディスク１１のラベル印字面若しくはピット情報信号記録面とが同じ側に配されるようにすることにより、光ディスク装置１の奥行き寸法を薄型表示装置２の奥行き寸法と比較して同一寸法かそれ以下とすることが可能となる。
【００５７】
これにより、本実施の形態のように、光ディスク装置１を薄型表示装置２の表示パネル１２に対して左側に連結し一体化させた場合であっても光ディスク装置１は薄型表示装置２の奥行き寸法からはみ出ることがない。
【００５８】
上記の記録媒体装置一体型表示装置は、以上のように、それぞれ個別の筐体で構成されている、少なくとも一つの光ディスク装置１、及び薄型表示装置２と、上記光ディスク装置１と上記薄型表示装置２とを連結して一体化する複数の連結部材２０ａ、２０ｂとを備えた構成である。
【００５９】
上記の構成によれば、少なくとも一つの光ディスク装置１と、薄型表示装置２とは、それぞれ別個の筐体で構成されているので、各装置で発生した熱が他の装置に対して影響を及ぼすことを回避できる。
【００６０】
上記連結部材２０ａ、２０ｂが複数個設けられていることにより、複数のレイアウトの中から所望のレイアウトを適宜選択することができるので、各装置のレイアウトの自由度が著しく大きくなる。光ディスク装置１と薄型表示装置２とを一体化する場合、両者のレイアウトは各個人によって異なるが、上記の構成によれば、複数の連結部材２０ａ、２０ｂによって、多様な各個人の好みに合ったレイアウトを実現することが可能となる。これにより、記録媒体装置一体型表示装置の付加価値を著しく高めることが可能となる。例えば、光ディスク装置１と薄型表示装置２とのレイアウトを適切に選択すれば、記録媒体装置一体型装置の奥行きを小さくすることができる。これにより、省スペースに記録媒体装置一体型表示装置を設置することが可能となる。
【００６１】
〔実施の形態２〕
本発明の第二の実施の形態を図４および図５に基づいて説明すれば以下のとおりである。また、説明の便宜上、上記実施の形態１にて示した部材と同じ機能を有する部材には同一の符号を付記し、その説明を省略する。本実施の形態においては、上記実施の形態１との相違点について主に説明するものとする。
【００６２】
図４は、本発明にかかる記録媒体装置一体型表示装置を示す斜視図である。本実施の形態は、図４に示すように、連結部材２１を個別の部材とし、連結部材２１と光ディスク装置１および薄型表示装置２とを連結するものである。また、上記実施の形態１にて光ディスク装置１および薄型表示装置２とを接続していた金属線等に代えて光ディスク装置１と薄型表示装置２との連結面にそれぞれコネクタ部２２を有する構造である。
【００６３】
まず、本実施の形態にかかる記録媒体装置一体型装置の構成について具体的に説明する。
【００６４】
図４に示すように、本発明にかかる記録媒体装置一体型表示装置は、上記実施の形態１と同様に、光ディスク装置１および薄型表示装置２から構成されているとともに、さらに連結部材２１から構成されている。また、光ディスク装置１および薄型表示装置２は、さらにコネクタ部２２を備えている。
【００６５】
連結部材２１は、連結部材２１の上面と光ディスク装置１の底面および薄型表示装置２の底面とを連結することにより一体化させるようになっている。また、連結部材２１は、例えば放熱性のよい部材で形成すれば、光ディスク装置１および薄型表示装置で発生した熱を連結部材２１を介して放熱することが可能となり、放熱部材としての機能を持つことができる。
【００６６】
コネクタ部２２は、光ディスク装置１と薄型表示装置２との間で所定の信号を相互に伝送するものである。コネクタ部２２は、光ディスク装置１と薄型表示装置２とが隣接する面にそれぞれ備えられており、凸型端子と凹型端子から構成されている。そして、光ディスク装置１および薄型表示装置２が連結部材２１を介して連結される際に、勘合するようになっている。また、コネクタ部２２は、信号を出入力するための端子となっており、電気信号または光信号の伝送に対応した電極または光インタコネクションとしての構造を有している。
【００６７】
なお、コネクタ部２２は、光信号を伝送する場合は、光信号を受発光するための例えば半導体レーザおよびフォトダイオード等の発光手段および受光手段と、電気信号と光信号を相互に変換するための変換手段とをさらに備えている。
【００６８】
上記構成において、光ディスク装置１および薄型表示装置２は、図４に示すように、薄型表示装置２の表示パネル１２面と、光ディスク保持部３に挿入された光ディスク１１のラベル印字面若しくはピット情報信号記録面とが本一体型表示装置の正面側に配されるように、連結部材２１の上面と光ディスク装置１および薄型表示装置２の底面とを連結することによって、光ディスク装置１が、薄型表示装置２の表示パネル１２に対して左側に並べて連結された状態の記録媒体装置一体型表示装置となる。
【００６９】
次に、光ディスク装置１が所定の情報を記録再生する機構および薄型表示装置２が所定の情報を表示する機構を説明する。
【００７０】
図５は、本発明にかかる記録媒体装置一体型表示装置間または外部装置間での情報信号の入出力を示すブロック図である。
【００７１】
図５に示すように、薄型表示装置２は、表示パネル１２、スピーカー１３、ドライブ装置１４、テレビジョン信号入力端子２３、テレビジョン信号入力回路２４、外部装置信号入出力端子２５、外部装置信号入出力回路２６および信号処理部２７を備えている。また、光ディスク装置１は、ドライブ装置４、光ピックアップ装置５および信号処理部１０を備えている。
【００７２】
まず、光ディスク１１の再生信号を薄型表示装置２にて表示する機構を説明する。
【００７３】
図５に示すように、光ディスク装置１に備えられたドライブ装置４が光ピックアップ装置５を駆動させることにより、光ディスク１１に記録されている情報を電気信号として再生する。再生された電気信号は、ドライブ装置４を通じて信号処理部１０にて所定の信号処理が行われ、コネクタ部２２を介して薄型表示装置２の信号処理部２７へ入力される。信号処理部２７は、入力された電気信号に対して所定の信号処理を行った後、ドライブ装置１４へ伝送する。ドライブ装置１４は、再生された電気信号に基づいて映像信号を表示パネル１２に表示させるとともに音声信号をスピーカー１３より出力させる。
【００７４】
次に、薄型表示装置２に入力されたテレビジョン信号を光ディスク１１に記録する機構および薄型表示装置２にて表示する機構を説明する。
【００７５】
薄型表示装置２のテレビジョン信号入力端子２３を介して受信したテレビジョン信号は、テレビジョン信号入力回路２４を介して信号処理部２７に入力される。信号処理部２７は、入力されたテレビジョン信号に対して所定の信号処理を行った後、光ディスク装置１の信号処理部１０に出力する。信号処理部１０は、入力されたテレビジョン信号に対して所定の信号処理を行った後、ドライブ装置４へ出力する。ドライブ装置４は、入力信号に基づいて光ピックアップ装置５を駆動させることにより光ディスク１１に所定の情報を記録する。
【００７６】
また、テレビジョン信号を薄型表示装置２にて表示する機構は次のとおりである。まず、薄型表示装置２のテレビジョン信号入力端子２３を介して受信したテレビジョン信号は、テレビジョン信号入力回路２４を介して信号処理部２７に入力される。信号処理部２７は、テレビジョン信号に対して所定の信号処理を行った後、ドライブ装置１４へ出力する。ドライブ装置１４は、入力信号に基づいて映像信号を表示パネル１２に表示させるとともに音声信号をスピーカー１３より出力させる。
【００７７】
次に、薄型表示装置２に入力された外部装置信号を光ディスク１１に記録する機構および薄型表示装置２にて表示する機構を説明する。
【００７８】
薄型表示装置２の外部装置信号入出力端子２５に入力された外部装置信号は、外部装置信号入出力回路２６を介して信号処理部２７に入力される。信号処理部２７は、入力された外部装置信号に対して所定の信号処理を行った後、光ディスク装置１の信号処理部１０へ出力する。信号処理部１０は、入力された外部装置信号に対して所定の信号処理を行った後、ドライブ装置４へ出力する。ドライブ装置４は、入力信号に基づいて光ピックアップ装置５を駆動させることにより光ディスク１１に所定の情報を記録する。
【００７９】
また、外部装置信号を薄型表示装置２にて表示する機構は次のとおりである。まず、外部装置信号入出力端子２５に入力された外部装置信号は、外部装置信号入出力回路２６を介して信号処理部２７に入力される。信号処理部２７は、外部装置信号に対して所定の信号処理を行った後、ドライブ装置１４へ出力する。ドライブ装置１４は、入力信号に基づいて映像信号を表示パネル１２に表示させるとともに音声信号をスピーカー１３より出力させる。
【００８０】
以上のように、光ディスク装置１および薄型表示装置２の各底面と連結部材２１とを連結することにより、光ディスク装置１と薄型表示装置２とを一体化させることが可能となる。さらに、薄型表示装置２の表示パネル１２の表示面と、光ディスク保持部３に挿入された光ディスク１１のラベル印字面若しくはピット情報信号記録面とが同じ側に配されるようにすることにより、光ディスク装置１の奥行き寸法を薄型表示装置２の奥行き寸法と比較して同一寸法かそれ以下とすることが可能となる。これにより、記録媒体装置一体型表示装置を省スペースにて設置することができるようになる。
【００８１】
なお、本実施の形態においては、テレビジョン信号入力端子２３、テレビジョン信号入力回路２４、外部装置信号入出力端子２５、外部装置信号入出力回路２６および信号処理部２７が薄型表示装置３に備えられた構成としているが、本発明はこれに限定されることはなく、上記各部材が光ディスク装置１に備えられた構成としてもよい。
【００８２】
〔実施の形態３〕
本発明の第三の実施の形態を図６に基づいて説明すれば以下のとおりである。また、説明の便宜上、上記実施の形態１または２にて示した部材と同じ機能を有する部材には同一の符号を付記し、その説明を省略する。本実施の形態においては、上記実施の形態１および２との相違点について主に説明するものとする。
【００８３】
図６は、本発明にかかる記録媒体装置一体型表示装置を示す斜視図である。本実施の形態は、図６に示すように、光ディスク装置１および薄型表示装置２とを接続するコネクタ部２８を連結部材２９に設けた構造である。
【００８４】
図６に示すように、本発明にかかる記録媒体装置一体型表示装置は、光ディスク装置１、薄型表示装置２および連結部材２９から構成されている。また、連結部材２９は、さらにコネクタ部２８を備えている。
【００８５】
コネクタ部２８は、光ディスク装置１と薄型表示装置２との間で所定の信号を相互に伝送するものである。連結部材２９上に設けられたコネクタ部２８は、凸型形状を有している。そして、光ディスク装置１および薄型表示装置２は、連結部材２９上に設けられた凸型形状のコネクタ部２８に対応した凹型形状のコネクタ部２８（図示しない）を有している。連結部材２９に光ディスク装置１および薄型表示装置２が連結される際に、対応するコネクタ部同士が嵌合するようになっている。また、コネクタ部２８は、電気信号または光信号の伝送に対応した電極または光インタコネクションとしての構造を有している。さらに、連結部材２９上のコネクタ部２８は、それぞれが連結部材２９内において電気的に結ぶ金属線または光学的に結ぶ光ファイバ等で接続されており、光ディスク装置１および薄型表示装置２間の信号の伝送は、コネクタ部２８および連結部材２９を介して行われる。
【００８６】
なお、コネクタ部２８は、光信号を伝送する場合は、光信号を受発光するための例えば半導体レーザおよびフォトダイオード等の発光手段および受光手段と、電気信号と光信号を相互に変換するための変換手段とをさらに備えている。
【００８７】
また、連結部材２９は、実施の形態２と同様に放熱性のよい部材で形成すれば、放熱部材としての機能を持つこともできる。
【００８８】
上記構成において、光ディスク装置１および薄型表示装置２は、図６に示すように、薄型表示装置２の表示パネル１２の表示面と、光ディスク保持部３に挿入された光ディスク１１のラベル印字面若しくはピット情報信号記録面とが同じ側に配されるようにすることにより、光ディスク装置１が、薄型表示装置２の表示パネル１２に対して左側に並べて連結された状態の記録媒体装置一体型表示装置となる。
【００８９】
また、光ディスク装置１および薄型表示装置２が所定の情報を記録再生または表示する機構は、上記実施の形態２にて示した機構により行うことができる。
【００９０】
以上のように、光ディスク装置１および薄型表示装置２の各底面を連結部材２１上に連結することにより、光ディスク装置１と薄型表示装置２とを一体化させることが可能となるとともに、光ディスク装置１の奥行き寸法を薄型表示装置２の奥行き寸法と比較して同一寸法かそれ以下とすることが可能となる。これにより、記録媒体装置一体型表示装置を省スペースにて設置することができるようになる。
【００９１】
〔実施の形態４〕
本発明の第四の実施の形態を図７に基づいて説明すれば以下のとおりである。また、説明の便宜上、上記実施の形態１または２にて示した部材と同じ機能を有する部材には同一の符号を付記し、その説明を省略する。本実施の形態においては、上記実施の形態１ないし３との相違点について主に説明するものとする。
【００９２】
図７は、本発明にかかる記録媒体装置一体型表示装置を示す斜視図である。本実施の形態は、図７に示すように、上記実施の形態２にて光ディスク装置１および薄型表示装置２とを接続していたコネクタ部２２を電気的または光学的に信号の伝送を行っていたものから電磁波を使用した無線により信号の伝送を行うコネクタ部３０に代えた構造である。
【００９３】
図７に示すように、本発明にかかる記録媒体装置一体型表示装置は、光ディスク装置１、薄型表示装置２および連結部材２１から構成されている。また、光ディスク装置１および薄型表示装置２は、さらにコネクタ部３０を備えている。
【００９４】
コネクタ部３０は、赤外線やミリ波等の電磁波を使用した無線により光ディスク装置１と薄型表示装置２との間で所定の信号を相互に伝送するものである。コネクタ部３０は、電磁波受信部と電磁波発信部が、光ディスク装置１と薄型表示装置２とが隣接する面にそれぞれ備えられており、光ディスク装置１と薄型表示装置２とが連結部材２１を介して連結した際に、発信した電磁波を受信する位置に配されている。
【００９５】
上記構成において、光ディスク装置１および薄型表示装置２は、図７に示すように、薄型表示装置２の表示パネル１２の表示面と、光ディスク保持部３に挿入された光ディスク１１のラベル印字面若しくはピット情報信号記録面とが同じ側に配されるように、連結部材２１上に光ディスク装置１および薄型表示装置２の底面を連結することによって、光ディスク装置１が、薄型表示装置２の表示パネル１２に対して左側に並べて連結された状態の記録媒体装置一体型表示装置となる。
【００９６】
また、光ディスク装置１および薄型表示装置２が所定の情報を記録再生または表示する機構は、上記実施の形態２にて示した機構により行うことができる。
【００９７】
以上のように、光ディスク装置１および薄型表示装置２の各底面と連結部材２１とを連結することにより、光ディスク装置１と薄型表示装置２とを一体化させることが可能となるとともに、光ディスク装置１の奥行き寸法を薄型表示装置２の奥行き寸法と比較して同一寸法かそれ以下とすることが可能となる。これにより、記録媒体装置一体型表示装置を省スペースにて設置することができるようになる。
【００９８】
なお、本実施の形態のように、装置間における信号の伝送を、電磁波を使用したものとした場合には、光ディスク装置１と薄型表示装置２とを接触させた状態で配置せずに、電磁波を受発信することができる位置にそれぞれ接触させずに配置することもできる。これにより、分離型としても構成可能となるため、設置スペースの省スペース化を考慮して、設置個所および設置方法を選択することができる。
【００９９】
〔実施の形態５〕
本発明の第五の実施の形態を図８に基づいて説明すれば以下のとおりである。また、説明の便宜上、上記実施の形態１ないし４にて示した部材と同じ機能を有する部材には同一の符号を付記し、その説明を省略する。本実施の形態においては、上記実施の形態１ないし４との相違点について主に説明するものとする。
【０１００】
図８は、本発明にかかる記録媒体装置一体型表示装置を示す斜視図である。本実施の形態は、図８に示すように、光ディスク装置１と薄型表示装置２とを連結させる連結部材３１を、光ディスク装置１および薄型表示装置２とを連結させるとともに回転軸３２の周りに互いに逆向きに所定角度（０°〜１８０°）だけ回転させることのできる構造のものとしている。
【０１０１】
連結部材３１は、回転軸３２と、この回転軸３２の周りに互いに逆向きに回転する連結板３３ａ、３３ｂを有している。これにより、光ディスク装置１と薄型表示装置２とを上記連結板３３ａ、３３ｂを介して回転軸３２の周りに互いに逆向きに所定角度だけ回転させることができる。さらに、連結部材３１は、実施の形態２と同様に放熱性のよい部材で形成すれば、放熱部材としての機能を持つこともできる。
【０１０２】
図８に示すように、連結部材３１を介して光ディスク装置１および薄型表示装置２を連結することによって、光ディスク装置１が、薄型表示装置２の表示パネル１２に対して左側に連結され、光ディスク装置１と薄型表示装置２とを所望の角度だけ回転させた状態の記録媒体装置一体型表示装置となる。
【０１０３】
また、光ディスク装置１および薄型表示装置２が所定の情報を記録再生または表示する機構は、上記実施の形態１または２にて示した機構により行うことができる。なお、実施の形態２の機構により行う場合、光ディスク装置１と薄型表示装置２との間で信号を伝送するための手段は、電気的または光学的に信号を伝送するコネクタ部２２であってもよく、電磁波を使用した無線により信号を伝送するコネクタ部３０であってもよい。
【０１０４】
これにより、例えば長方形の部屋の４隅のいずれかに記録媒体装置一体型表示装置を設置する場合、設置個所の環境に応じて光ディスク装置１および薄型表示装置２を回転軸３２の周りに所定角度だけ回転させて設置することが可能となり、省スペースにて設置することができる。さらに、光ディスク装置１と薄型表示装置２とが折り重なるように回転させた状態の記録媒体装置一体型表示装置は、固定された状態の記録媒体装置一体型表示装置と比べてよりコンパクトになり、収納しやすくなるとともに移動させやすくなる。
【０１０５】
なお、上記説明は、表示パネル１２と光ディスク装置１とが回転軸３２の周りに回転する例についてなされたものであるが、本発明はこれに限定されるものではなく、必要に応じて表示パネル１２とスピーカー１３の間、および／または光ディスク装置１とスピーカー１３との間にも同様の回転結部材を設けてもよい。
【０１０６】
〔実施の形態６〕
本発明の第六の実施の形態を図９および図１０に基づいて説明すれば以下のとおりである。また、説明の便宜上、上記実施の形態１ないし５にて示した部材と同じ機能を有する部材には同一の符号を付記し、その説明を省略する。本実施の形態においては、上記実施の形態１ないし５との相違点について主に説明するものとする。
【０１０７】
図９および図１０は、本発明にかかる記録媒体装置一体型表示装置を示す斜視図である。本実施の形態は、図９および図１０に示すように、光ディスク装置１を複数設けた構造である。
【０１０８】
図９および図１０に示すように、複数の光ディスク装置１は、薄型表示装置２の下面または左右のスピーカー１３との間に設置されている。このように、光ディスク装置１の設置個所が、薄型表示装置２の奥行き寸法を妨げるものでない場合には、光ディスク装置１を薄型表示装置２の左右に隣接して設置する必要はなく、薄型表示装置２の上面または下面に隣接した個所に設置することもできる。
【０１０９】
すなわち、実施の形態１ないし５においては、光ディスク装置１を薄型表示装置２の表示パネル１２に対して左側に設置した例を挙げたが、これに限定されることはなく、本実施の形態のように、薄型表示装置２の表示パネル１２に対して上下側または右側に設置することもできる。
【０１１０】
また、上記の場合、光ディスク装置１と薄型表示装置２とを一体化するための連結は、各装置に備えられた連結部材２０ａおよび２０ｂによって連結されていてもよく、個別の部材による連結部材２１、２９、３１を用いて各装置を連結してもよい。さらに、これらの連結部材２０ａおよび２０ｂ、２１、２９、３１を組み合わせて連結してもよく、各装置を連結する連結部材２０ａおよび２０ｂ、２１、２９、３１を複数使用して連結してもよい。
【０１１１】
また、本発明においては、上記金属線やコネクタ部２２、２８、３０等の信号伝送手段を一つの連結部材に集約する必要はなく、複数に分割して構成してもよい。さらに、これらの設置個所は光ディスク装置１や薄型表示装置２の裏面側や横側面側、連結部材２１、２９の上面側に限定されることはなく、他の面に設置してもよい。
【０１１２】
また、光ディスク装置１および薄型表示装置２が所定の情報を記録再生または表示する機構は、上記実施の形態１または２にて示した機構により行うことができる。実施の形態２にて示した機構により行う場合、光ディスク装置１と薄型表示装置２との間で信号を伝送する手段は、電気的または光学的に信号を伝送するコネクタ部２２、２８と、電磁波を使用した無線により信号を伝送するコネクタ部３０のいずれであってもよい。
【０１１３】
また、複数の光ディスク装置１は、複数の光ディスク１１の規格に対応するために、例えばＣＤ−ＲＯＭ、ＤＶＤ−ＲＯＭ、ＣＤ−Ｒ／ＲＷ、ＤＶＤ−Ｒ／−ＲＷ／＋ＲＷ／−ＲＡＭ、青色半導体レーザを使用した光ディスク装置等を組み合わせた構成としてもよい。
【０１１４】
以上のように、光ディスク装置１を、薄型表示装置２と並べて連結し、薄型表示装置２の表示パネル１２に対して上下左右の何れかの方向に隣接して一体化させた記録媒体装置一体型表示装置とすることが可能となり、設置個所の環境に応じて省スペースにて設置することができるようになる。
【０１１５】
また、実施の形態１ないし６における光ディスク装置１は、光ディスクを１枚収納することができる光ディスク装置１に限定されることなく、例えば、複数の光ディスク１１をマガジンに収納し、複数の光ディスク１１の中から１枚の光ディスクの記録再生を行うマガジン式の光ディスク装置であってもよく、ビデオテープ等の磁気テープの記録再生を行うビデオデッキ等の磁気テープデッキや磁気ディスクの記録再生を行うハードディスクデッキであってもよく、さらにはこれらを内蔵した光ディスク装置であってもよい。
【０１１６】
上記実施の形態２から４における記録媒体装置一体型表示装置は、それぞれ個別の筐体で構成されている、少なくとも一つの光ディスク装置１、及び薄型表示装置２と、上記光ディスク装置１及び上記薄型表示装置２の各底面において連結して一体化する連結部材２１、２９とを備えた構成である。
【０１１７】
上記の構成によれば、少なくとも一つの光ディスク装置１と、薄型表示装置２とが、連結部材２１、２９によって各装置の底面において互いに連結され一体化される。
【０１１８】
これにより、装置間の連結の確実性、及び連結の耐久性を確保するために、連結部材２１、２９の連結機構の重量が増大した場合や、上記連結機構の構造が複雑化した場合でも、重量の増加や連結機構の複雑化の要因となるものを連結部材２１、２９側に形成することが可能となる。この場合、上記光ディスク装置１及び上記薄型表示装置２に負担がかかることを確実に回避できる。
【０１１９】
しかも、上記光ディスク装置１及び上記薄型表示装置２における上記連結部材２１、２９との連結機構が各底面において設けられるので、各装置の美観を損なうことを未然に回避できる。更に、上記連結部材２１、２９は、それ自体、設置台としての機能も果たすことができる。加えて、上記連結部材２１、２９上に上記光ディスク装置１及び上記薄型表示装置２を設置するので、連結操作が容易に行える。
【０１２０】
【発明の効果】
本発明の記録媒体装置一体型表示装置は、以上のように、それぞれ個別の筐体で構成されている、少なくとも一つの記録媒体装置、及び表示装置と、上記記録媒体装置と上記表示装置とを連結して一体化する複数の連結部材とを備えた構成である。
【０１２１】
上記の構成によれば、少なくとも一つの記録媒体装置と、表示装置とは、それぞれ別個の筐体で構成されているので、各装置で発生した熱が他の装置に対して影響を及ぼすことを回避できる。
【０１２２】
また、複数の連結部材によって、多様な各個人の好みに合ったレイアウトを実現することが可能となり、一体型表示装置の付加価値を著しく高めることが可能となる。
【０１２３】
さらに、記録媒体装置と表示装置とのレイアウトを適切に選択すれば、本一体型装置の奥行きを小さくすることができ、省スペースに一体型表示装置を設置することが可能となるという効果を併せて奏する。
【０１２４】
本発明の記録媒体装置一体型表示装置は、以上のように、それぞれ個別の筐体で構成されている、少なくとも一つの記録媒体装置、及び表示装置と、上記記録媒体装置及び上記表示装置の各底面において連結して一体化する連結部材とを備えた構成である。
【０１２５】
上記の構成によれば、連結部材の連結機構の重量が増大した場合や、上記連結機構の構造が複雑化した場合でも、重量の増加や連結機構の複雑化の要因となるものを連結部材側に形成することが可能となる。この場合、上記記録媒体装置及び上記表示装置に負担がかかることを確実に回避できる。
【０１２６】
しかも、上記記録媒体装置及び上記表示装置における上記連結部材との連結機構が各底面において設けられるので、各装置の美観を損なうことを未然に回避できる。更に、上記連結部材は、それ自体、設置台としての機能も果たすことができる。加えて、上記連結部材上に上記記録媒体装置及び上記表示装置を設置するので、連結操作が容易に行えるという効果を併せて奏する。
【０１２７】
上記連結部材は、連結後の奥行きが上記表示装置の奥行き以下となるように、上記記録媒体表示装置と上記表示装置とを連結して一体化することが好ましい。
【０１２８】
この場合、本一体型表示装置の設置面積は、表示装置の単独設置の場合より大きくなることはない。それゆえ、よりコンパクトに省スペースに一体型表示装置を設置することが可能となるという効果を併せて奏する。
【０１２９】
上記連結部材は、放熱部材からなることが好ましい。この場合、上記記録媒体装置及び上記表示装置で発生したそれぞれの熱が上記連結部材を介して放熱されるので、上記記録媒体装置及び上記表示装置がそれぞれ個別の筐体で構成されただけの場合よりも放熱効果が向上するという効果を併せて奏する。
【０１３０】
上記連結部材は、連結装置間で情報信号の伝送を行うコネクタ部を有することが好ましい。この場合、上記連結部材は、装置間の連結機能に加えて、連結装置間での情報信号の伝送を行う機能を備えることになるので、従来必要であった装置間の配線を大幅に削減することが可能となるという効果を併せて奏する。
【０１３１】
上記連結部材は、少なくとも上記記録媒体装置と上記表示装置とが回転軸の周りに互いに逆向きに所定角度だけ回転可能であるように、上記記録媒体装置と上記表示装置とを連結することが好ましい。
【０１３２】
この場合、上記記録媒体装置及び上記表示装置の回転角度をそれぞれ所望の角度に設定することによって、さまざまな設置環境に対応できる。このように上記記録媒体装置と上記表示装置とを設置環境に合わせて所定の角度で設置することによって、固定の場合には設置できないスペースにも設置可能となり、より省スペース化を図ることが可能となるという効果を併せて奏する。たとえば、上記記録媒体装置と上記表示装置とが折り重なるように角度を回転させると、固定の場合と比べてコンパクトになり、収納しやすくなると共に移動させやすくなる。
【図面の簡単な説明】
【図１】本発明の実施の一形態における記録媒体装置一体型表示装置の斜視図である。
【図２】本発明の実施の一形態における光ディスク装置の側面図である。
【図３】図１に示す記録媒体装置一体型表示装置における情報信号の入出力を示すブロック図である。
【図４】本発明の実施の他の形態における記録媒体装置一体型表示装置の斜視図である。
【図５】図４に示す記録媒体装置一体型表示装置における情報信号の入出力を示すブロック図である。
【図６】本発明の実施のさらに他の形態における記録媒体装置一体型表示装置の斜視図である。
【図７】本発明の実施のさらに他の形態における記録媒体装置一体型表示装置の斜視図である。
【図８】本発明の実施のさらに他の形態における記録媒体装置一体型表示装置の斜視図である。
【図９】本発明の実施のさらに他の形態における記録媒体装置一体型表示装置の斜視図である。
【図１０】本発明の実施のさらに他の形態における記録媒体装置一体型表示装置の斜視図である。
【符号の説明】
１　　光ディスク装置（記録媒体装置）
２　　薄型表示装置（表示装置）
２０ａ、２０ｂ、２１、２８、３１　　連結部材
２２、２８、３０　コネクタ部
３２　回転軸
【図１】
2004071125.tif 000003
【図２】
2004071125.tif 000004
【図３】
2004071125.tif 000005
【図４】
2004071125.tif 000006
【図５】
2004071125.tif 000007
【図６】
2004071125.tif 000008
【図７】
2004071125.tif 000009
【図８】
2004071125.tif 000010
【図９】
2004071125.tif 000011
【図１０】
2004071125.tif 000012